(57)【要約】  スクワットトイレ（３２）は、便器（３０）と２つのフットレスト（１０）で構築される。フットレスト（１０）には上面（１２）、下面（１４）、側面（１６、１８、２０、２２）がある。上面（１２）は、側面（１６、１８、２０、２２）に沿って隆起した形状を有し、フットレスト（１０）が前側面（１６）から後側面（２０）に向かって上向きに傾斜する。【選択図】図３Ａ
2020508409.tif 000002
【特許請求の範囲】
【請求項１】
便器（３０）と、２つのフットレスト（１０）とを含み、
前記フットレスト（１０）は、上面（１２）、下面（１４）及び側面（１６、１８、２０、２２）を含み、
前記上面（１２）は、側面（１６、１８、２０、２２）に沿って隆起した形状を有し、前記フットレスト（１０）が前側面（１６）から後側面（２０）に向かって上向きに傾斜する、
スクワットトイレ（３２）。
【請求項２】
前記フットレスト（１０）の傾斜面により、ユーザーは排泄中に快適なセミスクワット位置を提供する角度で足を置くことができ、
傾斜面の表面は、１つ以上の突起（２４）と、滑り止め表面を提供する溝（２６）とを含む滑り止め構造を有する、
請求項１に記載のスクワットトイレ(３２)。
【請求項３】
前記上面（１２）には、第１の表面（３６）と第２の表面（３８）も設けられており、
前記第１の表面（３６）は、ユーザーのかかとへの支持を提供して、
前記第２の表面（３８）は、ユーザーのつま先への支持を提供して、しゃがむ際の良好なバランスを促進する、
請求項１に記載のスクワットトイレ(３２)。
【請求項４】
前記フットレスト（１０）の傾斜の角度は、12°から18°の範囲の角度（ａ）、168°から162°の範囲の角度（ｂ）、90°から111°の範囲の角度（ｃ）、66°から90°の範囲の角度（d）、90°から114°の範囲の角度（e）、78°から72°の範囲の角度（f）を含む、
請求項２に記載のスクワットトイレ。
【請求項５】
上面（１２）、下面（１４）及び側面（１６、１８、２０、２２）を備えるフットレスト（１０）であって、
前記上面（１２）は、フットレスト（１０）が前側面（１６）から後側面（２０）まで上向きに傾斜するように、前記側面（１６、１８、２０、２２）に沿って隆起形状を有する、
フットレスト（１０）。
【請求項６】
スクワットトイレ（３２）と、抗スプラッシュ面（４０）と、収集タンク（４２）とを備え、
前記スクワットトイレ（３２）は、抗スプラッシュ面（４０）の切り欠き（４４）に設置されたフットレスト（１０）を有し、
抗スプラッシュ面（４０）は、収集タンク（４２）上に固定された、
トイレ用器具。
【請求項７】
抗スプラッシュ面（４０）には、接触面（４６）と開口（４８）が設けられており、
前記抗スプラッシュ面（４０）は、泥、水、尿、固形廃棄物などのあらゆる形態の汚れを除去し、トイレの床に残す、
請求項６に記載の器具。
【請求項８】
前記接触面（４６）は抜き勾配（５０）を有し、
前記抜き勾配（５０）は、水や尿などの滴、又はその他の液体を2つに分けることを確保して、スプラッシュ対策として機能する、
請求項７に記載の器具。
【請求項９】
請求項１〜８のいずれか一項に記載のスクワットトイレ（３２）、フットレスト（１０）、及び器具の組み立て方法。
【発明の詳細な説明】
【技術分野】
【０００１】
本発明は一般的なトイレに関する。具体的には、本発明は、便器の使用者が排便中にしゃがんだ姿勢をとることを可能にするように改良されたフットレストを備えたスクワットトイレに関する。
【背景技術】
【０００２】
通常のトイレには、２つのタイプ、つまり、便座を備えた第１タイプと、便座のない第２タイプ、つまりスクワットトイレがある。また、現在使用されている両方のタイプのトイレ構造はトイレの使用者の生理機能を最大限に活用するようには設計されていないこともよく知られている。
【０００３】
便座付きのトイレを使用する場合、使用者は便座に座ることができる。しかし、便座に座っている時、腹部の筋肉が収縮状態にあり、腹部の筋肉に力を入れ、直腸から肛門に排泄物を絞り出すことは難しい。便座はふつう水平であるため、使用者は膝に負担をかけずに便座に座ることができる。しかし、腹部の筋肉に力を入れるのは難しく、細菌への接触や感染症の恐れがある。
【０００４】
便座なしのトイレを使用する場合、つまり、スクワットトイレを使用する場合、使用者はかかとを用いて座るか、足を体に近づけて座る必要がある。これによって、膝とつま先に負担を及ぼすため、便座なしのトイレを使用するのは不快である。長い間しゃがむことができず、落ちる恐れがある。お年寄りはしゃがんだ状態から立つことができない恐れもある。それに、このようなトイレは確実に排泄物の囲いを提供せず、体内の排泄物を排泄しながら、排泄物に近接しているため、使用者を汚れた環境にさらす。
【０００５】
更に、上記の両方のトイレのタイプの形状は使用者の足の血液循環を妨げる。トイレに座っている使用者は、その使用者のお尻を圧迫することがあり、排泄プロセスを妨げる。血行不良とゆがみが痔核という苦しい病態の原因であることが重要である。
【０００６】
トイレと排泄プロセスに関するさまざまな研究により、排泄効率を最大化し、トイレ使用者への負担を最小限に抑えるために、ユーザーはトイレ上のセミスクワット（半しゃがむ、ややしゃがむ）位置をとるべきであることが示唆されている。この位置では、使用者の太ももの筋肉が上部の鼠径部に寄りかかり、体内の排泄物のより大きな割合を除去することができる。より具体的に、足が通常の位置より約6〜12インチ高くなっている状態では、体はより安全に力を入れることができ、排泄物のより大きい割合の除去ができると理解されている。
【０００７】
一般に「しゃがむ」と呼ばれているより生理学的に正しい位置に人体が到達することができるようにする試みが、次のアプローチに分けられる。一つのアプローチでは、トイレはフットレストやトイレの便座の両側にポジションが設計されており、トイレの使用者は実際にこれらの足のフットレストで体重全体を支え、トイレの上で本当のしゃがむ姿勢をとることができる。
【０００８】
これは本質的に、トイレ自体と足の接触なしで達成される。このアプローチは改善された生理的な姿勢を可能とするように見えていても、使用者にとって非常に不安定な姿勢を作り出し、偶発的な転倒及び附随する怪我のリスクを非常に増加させる。
【０００９】
他のアプローチでは使用者がトイレへの座位を保持できるようにするが、単に使用者の足を通常の位置より9インチ高くする。このアプローチを実行する試みは、２つのカテゴリーに分類される。一つのアプローチではフットエレベーションシステムがトイレ自体に組み込まれている。トイレの構造は各足を通常の位置より9インチ上げるフットレストを提供するように再設計されている。あいにく、追加の足高さ要素を備えた典型的な磁器トイレを製造するために必要なオペレーションが非常にトイレのコストと厄介さとを増やす。
【００１０】
更に、トイレから前方に延びる足上げ要素の存在は、トイレの他の使用に関してもいくつかの問題をもたらし、トイレ領域を使用および移動する人々の様々なつまずき及びつま先にケガをもたらす可能性がある。
【００１１】
もう一つのカテゴリーでは、トイレの前またはトイレの回りに置く非単一デバイスが提供されており、このデバイスが使用者の足を適切な位置に上げるサーフェスとなる。このアプローチを採用するデザインの１つのグループのトイレでは、トイレの前に置いてあるか前の部分を包んでいる特別な形のスツールがある。ほとんどの浴室の床が滑りやすいため、この自立式のスツール型構造は非常に不安定である可能性があり、前方に滑り落ちてトイレから離れ、使用者を非常に不安な位置に置いたり、過度のストレスを引き起こしたりする可能性もある。
【００１２】
もう一つのアプローチでは、要素のスーパーストラクチャー（上部構造体）が含まれる。要素のスーパーストラクチャーは、自立式スツールから上向きに伸び、使用者がスツールを所定の位置に保持し、場合によっては上半身をスーパーストラクチャー自体に乗せることができる。しかし、このようなデザインの製造は大変コストが高く、重心が高いため不安で、使用と保管も大変不便である。更に、このようなスーパーストラクチャーはスツールをトイレから床に滑り落ちるのは防げないし、使用者を不安で危ない状態にする。
【００１３】
また、都市や町で使用されている様々な現代の衛生システムは、次の3つの部分に分けられる。
（a）トイレ下水管をメインの下水道に接続する都市特有の下水システム。しかし、このようなシステムは都市のみにあり、他のところにはない。コンクリートパイプの設置は時間と費用の掛かるプロセスである。このようなシステムは、洗浄にも大量の水を使用する。
（b）下水システムがまだない場所の個人浄化槽。このようなシステムの設置も費用が掛かるし、健康被害が発生する可能性もある。
（c）スラーブなど、排水口を介してトイレの外の浸出ピットに接続されている水封コンポストトイレの構築は簡単である。しかし、メンテナンスコストと各使用の料金は高い。
【００１４】
更に、衛生は社会に非常に大切なことである。人々、地域やコミュニティの健康に直接影響がある。インドのような開発途上国において、トイレの施設などが大変悪い衛生状態の原因となる。人々は仕事とより良い生活を求めて農村部から都市へと移住する。多くの場合は、食料や避難所のような基本的なものを買う余裕がなく、公共のトイレが少ないし、メンテナンスが不十分なため、野外で排便することになる。
【発明の概要】
【発明が解決しようとする課題】
【００１５】
インドのような国の公衆トイレのシナリオは、メンテナンスが不十分で、不健康で、非衛生的である。メンテナンスの不備による不健康で非衛生的な公衆トイレは、インドの野外排便の最大の原因である。手を洗っている時に床に水や尿をこぼすか振りかける傾向があるため、このようなトイレの床は普通濡れている可能性がある。人がトイレに入るたびに、その人に付随して汚れが持って来られて、床に落ちて付着する。これはトイレの汚れの一つの原因である。本発明の一つの目標と利点はトイレを清潔で、快適で汚れと臭みなしのトイレを作ることである。
【００１６】
したがって、本発明は快適なトイレ、使いやすく、清潔で維持しやすいスクワット式トイレを提供することで、生活を改善することを目標とする。
【００１７】
発明の目標
本発明の主な目的は、使いやすく、清潔で、維持しやすい快適なトイレを提供することである。
もう一つの目的はトイレを清潔で快適で汚れと臭みなしのトイレを作ることである。
【００１８】
また、もう一つの目標は使用者が排泄時に快適なセミスクワット位置ができるような改善されたフットレストのあるトイレを提供することである。
【００１９】
もう一つの目標はトイレ用の改良されたフットレストを備えたトイレを提供することである。このトイレでは使用者を一方向にする方向にのみ排便できるようにして、公共施設のメンテナンスを容易にする。
【００２０】
もう一つの目標は視覚障がい者がスクワットの方向を正しく特定できるようなトイレを提供することである。
【００２１】
もう一つの目標は改善したトイレ用フットレストを備えたトイレを提供することで、トイレの使用者が間接や膝の柔軟性を持ち、問題なくトイレにしゃがむことができることである。
【００２２】
もう一つの目標はトイレの使用者が排泄中に快適なセミスクワット位置をとることを可能にするトイレ用の改善されたフットレストを提供することである。
【００２３】
もう一つの目標はトイレのフットレストを提供することで、ポット表面からの距離を広げ、使用者が衛生的に表面や水しぶきに触れないようにすることである。
【００２４】
もう一つの目標は良いバランスができるトイレ用の改善されたフットレストを提供することで、スクワットすることを使用者にとって快適で痛みを無くして、転倒の恐れを完全に解決することである。
【００２５】
もう一つの目標はトイレ用の改善されたフットレストを提供し、容易に滑らない表面を提供し、しゃがむ時のバランスを保持することである。
【００２６】
もう一つの目標は使いやすく、簡単に掃除できるように改善されたフットレスト付きのトイレを提供することである。
【００２７】
もう一つの目標は視覚的に魅力的となるように改善されたフットレストを備えたトイレを提供することである。
【００２８】
もう一つの目標はメンテナンスのコストが非常に低くなるように改善されたフットレスト付きのトイレを提供することである。
【００２９】
もう一つの目標は排泄物の蓄積と沈下のない防滴表面を備えたフットレスト付きのトイレを提供することである。
【課題を解決するための手段】
【００３０】
本発明は便器と使用するためのフットレストを提供し、この便器には、ボウルとそのボウルのためのベースがあり、これが良いバランスを提供し、後方に倒れる恐れを完全に解決し、スクワットのポジションを快適にし、使用者の痛みの問題も軽減する。
【００３１】
したがって、本発明の一態様は、改善されたフットレスト付きの排泄物の蓄積と沈殿を許容せず、使いやすく、清潔で維持しやすい上面を備えたスクワットトイレである。このスクワットトイレには、便器1つとフットレスト2つとがあり、このフットレストには上面、下面、側面がある。ここで、上面は、フットレストが全部側面から後部側面まで上方に傾斜するように、前記側面に沿って隆起した形状をする。フットレストの傾斜により、使用者は足を置くことができ、排便中に快適なセミスクワット位置をとることができる。
【００３２】
斜面の表面には、1つ以上の突起と溝があり、滑り止め構造である。
【００３３】
このフットレストには次のような角度がある。角度（a）は12°〜18°の範囲で、角度（B）は168°〜162°の範囲で、角度(c)は90°〜111°の範囲で、角度（d）は66°〜90°の範囲で、角度（e）は90°〜114°の範囲で、角度（ｆ）は78°〜72°の範囲である。
【００３４】
本発明のもう一つの態様はトイレ用器具に関する。スクワットトイレ、抗スプラッシュ表面（飛散防止面、水はね防止面、防滴面、飛沫防止面）、収集タンクで構造される。フットレストを備えたスクワットトイレは、収集タンクの上に固定されている抗スプラッシュ表面の切り欠きに設置されている。
【００３５】
抗スプラッシュ表面には泥、水、尿、固形廃棄物などの汚れが蓄積しない接触面と開口とが提供されている。それに、接触面には抜き勾配があり、水や尿の滴が2つに分割し、スプラッシュ対策として機能する。
【００３６】
本発明のもう一つの態様は、この改善されたフットレスト付きのトイレの構造方法に関する。
【図面の簡単な説明】
【００３７】
本発明の上記及び追加目標、特徴、および利点は、添付の好ましい実施形態の以下の図面を参照し、よりよく理解できる。
【図１】図１Ａ、図１Ｂ、図１Ｃ、図１Ｄ、及び図１Ｅは、それぞれ、本発明のフットレストの上面図、側面図、斜視図、正面図及び背面図を示す。
【図２】図２Ａと図２Ｂは本発明のフットレストの高い傾斜の角度を示す。図２Ｃ、図２Ｄと図２Ｅは本発明のスクワットトイレでのしゃがみの関する足首の様々な動きを示す。
【図３】図３Ａ、図３Ｂ、及び図３Ｃは、それぞれ、本発明による改良されたフットレスト付きのスクワットトイレの概略斜視図、上面図、及び側面図、を示す。
【図４】図４Ｄと図４Ｅとは、それぞれ、本発明による改良されたフットレスト付きのスクワットトイレの正面図と背面図とを示す。図４は本発明による設置前の抗スプラッシュ表面及び収集タンクを備えたスクワットトイレの平面分解図を示す。
【図５】図５Ａは本発明による収集タンクでの抗スプラッシュ表面の使用を示す。図５Ｂは、図４と図５Ａで使用される抗スプラッシュ表面の詳細図を示す。
【図６】図６Ａ、図６Ｂと図６Ｃは本発明の原理を具体化する、使用中の改善されたフットレスト付きのスクワットトイレを示す。
【図７】図７は本発明によるスクワットトイレ付の公衆トイレを示す。
【発明を実施するための形態】
【００３８】
本発明は多くの異なる実施形態が可能であるが、本開示が本発明の原理の適例とみなされるべきであるというのを理解し、本明細書に特定の実施形態が説明されている。
【００３９】
本明細書に詳述される実施形態に本発明を限定することは意図されていない。
【００４０】
図１Ａ、１Ｂ、１Ｃ、１Ｄ、及び１Ｅについて本発明のフットレスト１０の上面図、側面図、斜視図、正面図および背面図がそれぞれ示されている。フットレスト１０は、上面１２、下面１４、および側面１６、１８、２０、２２を備えている。上面１２は、フットレスト１０が前側面１６から後側面２０に向かって上方に傾斜するように、前記側面１６、１８、２０、２２に沿って隆起形状を有する。フットレスト１０の傾斜により、使用者は、排泄中に快適なセミスクワット位置をとることができる角度で足を置くことができる。
【００４１】
図２Ａおよび２Ｂに示されているように、隆起した傾斜は、所望の快適なスクワット位置を提供するために様々な角度がある。図示のように、角度（a）は12°〜18°の範囲、角度（b）は168°〜162°の範囲、角度（c）は90°〜111°の範囲、角度（d）は66°〜90°の範囲にあり、角度（e）は90°〜114°の範囲にあり、角度（f）は78°〜72°の範囲にある。
個人のしゃがみ込みを考慮する場合、特定の動きの解剖学的用語が不可欠である。動きは一般に解剖学的平面に従って記述される。足の足底平面は（軸または水平とも呼ばれる）、足を通る地面に平行な横断面である。Oxford English Dictionaryによると、背屈と足底屈とは、足首の足の伸展または屈曲を指す。これらの用語は、足の前面と考えられる足と体の背面の間の屈曲、および足と体の足底面の間の屈曲を指す（脚の後ろと考慮。）これは図２Ｃに示されている。
【００４２】
しゃがむ能力は3つのカテゴリーに分けられる。
【００４３】
１．補償なしディープスクワット：この位置で、ユーザーは、かかとが地面にあり、つま先の後ろに腕がある静止位置までしゃがむことができる。この場合、かなりの量の背屈があり、その人は足首の可動性が高く、より小さい体（(まっすぐな姿勢から)上体を曲げた体、かがんだ体、そり返った体、又は乗り出した体）を持っている。彼らは平足でしゃがむことができる。
２．補償ディープスクワット：この位置で、使用者は休憩位置までしゃがむことができる。かかとが地面から上がるか、腕が前に出る。人に背屈の可動性がない場合、かかとが地面から落ちることがある。あるいは、胴体がバランスを保つために過度に前方に傾く場合ある。これにより、スクワット位置がユーザーにとって非常に不快になる可能性がある。
３．しゃがむことができない：使用者が移動中にかなりの痛みを感じるか、静止位置に到達できない。使用者が重度の関節の問題を抱えている場合、膝と股関節の屈曲と足首の背屈は不可能である。その結果、使用者は完全にしゃがむことができない。
【００４４】
足首の可動性とさまざまなスクワットの姿勢とテクニックに関する研究の後、図２（d）に示されているように、使用者は立っている間の短時間、足底屈をしており、フットレストに身を置く。
【００４５】
その後、しゃがむと、足と足が図２（e）に示すように足首で70°から90°になると、足首の足底屈が中立位置に変わる。これにより、足首の背屈が少なくなり、より快適なスクワット姿勢になる。背屈のこの減少はまた、足の足底表面全体へのつま先、足首、および脛からの圧力を減らす。
【００４６】
斜面の表面は、１つ以上の突起２４と溝２６を含む滑り止め構造を有する。突起２４および溝２６の形状および構成は、添付の図面に示されるような形状および構成に限定されず、様々な形状および設計のものであり得る。突起２４および溝２６はグリップとして作用し、座りながらまたはスクワット位置から立ち上がる際の滑りを回避するのに役立つ。
【００４７】
上面１２には、第１の表面３６と第２の表面３８も設けられている。第１の表面３６は、使用者のかかとに支持を提供するように構成される。第２の表面３８は、しゃがむ際の良好なバランスを促進する使用者のつま先への支持を提供するように構成される。スクワットしようとするときに後方に倒れるという問題を解決し、使用者の快適で痛みを軽減する。第１の表面３６および第２の表面３８により、使用者はしゃがむ間につま先を適切な位置に置くことができる。第１の表面３６および第２の表面３８は、使用者のつま先およびかかとのストッパーとしても機能する。
【００４８】
第１の表面３６および第２の表面３８は、フットレストにしゃがみながらユーザの最適な重心（ＣｏＧ）を維持するのに役立つ。第１の表面３６および第２の表面３８は、膝への圧力を低減し、足への圧力の均一な分布を提供して、しゃがむことをより快適にする。また、第１の表面３６および第２の表面３８は、使用者が正しい方向および位置でつま先およびかかとを正しく配置できるようにするので、ユーザの体重のより良い分布を可能にする。
【００４９】
フットレスト１０は、一般に形状が長方形である。しかし、フットレスト１０の形状は、長方形に限定されず、正方形、半正方形、楕円形、または他の幾何学的形状などの他の形状であってもよい。
【００５０】
フットレストの下面１６は、スクワットトイレ３２を提供する既知の方法により、便器３０を有するプラットフォーム２８に固定することができる。あるいは、フットレスト１０は、一体構造であるスクワットトイレ３２を作る便器３０と一体的に作製することができる。
【００５１】
図３Ａ〜３Ｅには、フットレスト１０と、プラットフォーム２８を有する便器３０とを備えるスクワットトイレ３２が示されている。スクワットトイレ３２には、図４に示すように、抗スプラッシュ表面（飛散防止面、水はね防止面、防滴面、飛沫防止面）４０および収集タンク４２に固定された出口３４が設けられている。フラッシュパイプコネクタ５２も提供されている。示されているように、フットレスト１０は、使用者の習慣を念頭に置いて人間工学的に設計されている。フットレスト１０の高い傾斜面の人間工学的な形状により、使用者はより良いバランスを維持し、しゃがむ際の圧力の均等な分配を促進することができる。フットレスト１０は、膝と太ももにストレスをほとんどまたはまったく生じさせず、長時間にわたってしゃがみ、使いやすく直感的である。最も重要なことは、フットレスト１０は、しゃがむときに後方に倒れる問題を解決する。
【００５２】
フットレスト１０は既存のスクワットトイレの新しい再設計であるため、フットレスト１０は、現在のスクワットトイレの設計を置き換えることができるという点で商業的に利用可能性がある。フットレスト１０の形状は、スクワットトイレ３２を一方向にする。現在のスクワットトイレは普通双方向である。すなわち、使用者はトイレを使用している時、どちらの方向にも直面することができる。トイレの使用方法が使用者によって異なり、双方向掃除のためにシステムを作るのが難しくなり、掃除の面で不十分なメンテナンスの原因になる。
【００５３】
フットレスト１０の高い傾斜の人間工学的な形状により、使用者が反対方向にしゃがむことができなくなり、しゃがんだトイレ３２が一方向になった。一方向スクワットトイレ３２は、最終的に洗浄および洗浄のための水の流れによってメンテナンスおよび洗浄の面で役立つ。
【００５４】
図３Ｆ〜３Ｌには、スクワットトイレ３２の別の実施形態が示されている。この実施形態では、フットレストとトイレは一つの実体として製造される。このトイレは、１つの装置としてプラットフォームに取り付けられる。表面３８は視覚障がいのある使用者向けに製造されている。トイレのマークは、このような使用者が意図した方法でトイレを使用するように誘導するものとする。
【００５５】
図４、５Ａ、５Ｂについて：フットレスト１０を有するスクワットトイレ３２は、収集タンク４２上に固定された抗スプラッシュ面４０の切り欠き４４に設置することができる。現代のトイレの床は、使用中、又は清掃中に、床に水又は、尿をこぼす、又は振りかける傾向があるため、通常は濡れている。人がトイレに入るたびに、彼らは一緒に汚れをもたらし、床に落ちて付着し、他の原因の中でトイレを汚れたままにする。この問題を解決するために、抗スプラッシュ表面４０には接触面４６と開口４８が設けられている。泥、水、尿、固形廃棄物（排泄物）などの汚れを除去してトイレの床に残す。これによって、スクワットトイレ３２の環境と衛生とを高める。抗スプラッシュ表面４０は、水を噴霧することにより洗浄することができ、開口４８により水は容易に排出される。抗スプラッシュ表面４０に落ちる水または他の液体または汚れは、すぐに表面４０の下の収集タンク４２に降り、複数回使用している間でもきれいで乾燥する。収集タンク４２に入る汚れまたは廃棄物は、既知の方法によりさらに廃棄するために管理することができる。
【００５６】
ほこり堆積防止スプラッシュ表面４０の表面積が少ない、又は最小なので、表面をきれいにするためにホース、パイプ、またはバケツを介して使用するのに非常に少量の水が必要である。図５Ｂに示されているように、接触面４６抗スプラッシュ面４０は、水、尿または他の液体の液滴が２つに分割されることを保証する抜き勾配５０を有し、これで、ほこりや固形廃棄物を簡単に洗い落とすことができ、開口部から水が染み出す一方で、スプラッシュ対策として機能する。したがって、抗スプラッシュ表面４０は、スクワットトイレ３２の容易な洗浄およびメンテナンスを改善するのに役立つ。また、抗スプラッシュ表面４０は、より良いグリップを提供し、ユーザーに滑り止め表面を提供する。
【００５７】
図６Ａ、６Ｂ及び６Ｃは、本発明の原理を具体化する、ユーザーが使用する改良済みフットレスト１０を有するスクワットトイレ３２を示す。
【００５８】
人間は、座位ではなく、しゃがんだ位置から排便するように進化した。
図６A、６Aおよび６Ｃに示したように、肛門管は直腸と垂直に整列しているため、通過抵抗が最小限に抑えられる。その結果、排便の行為は実質的に楽である。排便がより完全で効率的でタイムリーであるため、便の通過時間が短縮される。それにより、便毒素が腸壁と接触する時間が短縮され、それにより結腸がんおよび直腸がんのリスクが低減される。
【００５９】
図７について：本発明によるスクワットトイレ３２を備えた公衆トイレが示されている。フットレスト１０を備えたスクワットトイレ３２の人間工学的設計により、製造および設置に関して商業開発サイクルに適応することも非常に簡単になる。これで、現在のインフラストラクチャをサポートし、使用に関して学習曲線が非常に低い。したがって、本発明のフットレスト１０は、任意の従来のトイレと協働して、以下の最適なスクワット姿勢でユーザーを完全に支持する。(i) 排便を促進して、緊張や下腸の損傷の可能性を回避する。(ii)便秘および関連する状態を避ける。(iii) 痔核のリスクを減らす。(iv) 便の通過時間を短縮して、腸内の便毒素に起因する重篤な障がいなど、下部消化管の他の障がいのリスクを軽減する。
【００６０】
本発明の態様の１つは、フットレスト１０の構築方法に関する。フットレスト１０は、セラミックまたはステンレス鋼で作ることができる。その構築のプロセスは、以下に限定されないが、以下の通りである。
【００６１】
セラミックの施工方法:
材料の混合―最初のステップとして、寒冷地で粘土やその他の天然ミネラルの混合物を加えて強化し、水と混合する。
【００６２】
キャスティング（鋳込み）―適切な粘稠度を得た後、混合材料を石膏でできたモールドにそそぐ。
キャスティング用に複数の金型を組み立てて使用することができる。金型は、フットレスト１０、スクワットトイレ３２の切り欠き、および便器ボウル３０の正確な寸法および設計を有するように構成されており、設計の細部まで全てを取り入れている。（特に、フットレストの高い傾斜面、傾斜角１０、フットレスト１０の滑り止めグリップ２４、２６、スクワットトイレ３２の形状、ボウル３０、およびそのすべての部品と切り身）。
【００６３】
パンチングホール：鋳型には、液体を注型用鋳型に注ぐのに必要な穴がいくつか設けられている。混合材料は金型にそそぐ。その後、数時間後に型を開けて、そこから鋳込み成形品を得る。
【００６４】
フェトリング：粗い縁と余分な縁は、金型を開いて鋳込み成形品を取り除いた後、切り取ってきれいにする。トイレのシュート、つまりフラッシュパイプコネクタを手で追加してブレンドする。
【００６５】
乾燥：その後、鋳込み成形品を乾燥させると、曲線のある美しい彫刻ができる。粘土がまだ柔らかい間、排水穴のカットを行う。すぐに拭いて一晩乾燥させる。
【００６６】
コーティング：鋳込み成形品、つまりスクワットトイレとフットレストとが乾燥したら、チョーク、粉末ガラス、釉薬などの混合物でコーティングする(この材料に限定しない)。これは防水層となる。
【００６７】
グレージング・艶出し：スクワットトイレの外側とフットレストにはグレージングを行わない。
【００６８】
研磨：火気前に、スクワットトイレとフットレストの表面をきれいにして磨いて、表面を滑らかにする。
【００６９】
火気：３段階で行われる。
【００７０】
１段階：あまりにも多くの熱が突然形状を歪める可能性があるため、スクワットトイレとフットレストは少し温められる。
【００７１】
２段階：窯炉において1200度で送風する。
【００７２】
３段階：スクワットトイレとフットレストは冷却される。
【００７３】
検査：品質チェックを実施し、フィクスチャに亀裂、へこみ、仕上げや強度に関するその他の問題がないか確認する。
【００７４】
水検査：漏れ、フラッシュフロー、および表面の水の流れを確認するために、水テストを行う。
【００７５】
上記が完了すると、フットレスト付きスクワットトイレができる。
【００７６】
ステンレス鋼による施工方法
フットレスト１０は金属材料で作ることもできる。フットレストは、冷間成形や絞り加工などのプロセスで、ステンレス鋼の金属シートで作ることができる。スクワットトイレ３２は、板金の深絞り加工によって得られ、エッジは鋭いエッジを避けるために曲げられる。出口３４及びフラッシュパイプコネクタ５２は、スクワットトイレに中空パイプとして追加することができる。コンポーネントは全て、溶接の助けを借りて一緒に結合される。アセンブリ全体が研磨され、バフ研磨される。きれいで光沢のある表面を確保するために、洗浄剤で洗浄する。
【００７７】
プレキャスト強化セメントコンクリートによる施工方法
プレキャストコンクリートは、再利用可能な型またはフットレストの「フォーム」にコンクリートをキャストすることにより製造される建設製品である。この品は管理された環境で硬化し、建設現場に運ばれ、所定の場所に持ち上げられる(ティルトーアップ)。それとも、普通のコンクリートはサイト固有のフォームに注がれ、その場で硬化される。
【００７８】
鉄筋はコンクリート補強の最も一般的な形式である。通常、スチールで作られ、硬化時にコンクリートと結合するリブで製造される。鉄筋は、どのようなコンクリート構造物の形状でも支えるために曲げたり組み立てたりするように汎用性を有する。炭素鋼は最も一般的な鉄筋材料である。しかし、ステンレス鋼、亜鉛メッキ鋼、およびエポキシコーティングは腐食を防ぐことができる。
【００７９】
スクワットトイレの施工に使用される材料は磁器（セラミック）、ステンレススチールプラスチック（LLDPE）、高密度グレード4のポリエチレンプラス抗UV処理ガラス繊維、コンクリート、フェロセメントを含む(これに限定しない)。
【００８０】
本発明のフットレスト１０には様々な用途がある。たとえば、フットレスト１０は、ヨガのさまざまなアーサナをするために使用できる。マラーサナ、またはマラサナは、さまざまなしゃがんだアーサナを意味する。この用語は、さまざまな西洋の音訳で使用されており、全てのしゃがんだポジションのアーサナを示す。マラサナという用語は、「通常のスクワットポーズ」（upavesasanaとも呼ばれる）に最もよく使用される。手のひらは、このアーサナで胸の前にあるいわゆるナマスカルムードラに折り畳まれており、足の間隔が広くし、従来の排便位置に似る。
【００８１】
このようなポーズや、しゃがむことを含む他のポーズやアーサナを行うのに苦労している方は、本発明のフットレスト１０を使用して特定のヨガのポジションをすることができる。
【００８２】
特定の実施形態および例を参照して本発明を説明しているが、本発明に記載の通り、当業者は、本発明のより広い精神および範囲から逸脱することなく、本発明を多くの形態で実施できることを認めるであろう。したがって、次の説明を読んで、当業者に、開示された好ましい実施形態の変形が明らかになる可能性がある。
【００８３】
したがって、本発明は、適用された法により許可されるように、本明細書に添付された特許請求の範囲に列挙された主題のすべての修正および同等物を含む。それに、本書に別段の記載がないと、または文脈によって明らかに矛盾しない、このすべての可能な変形における上記要素の任意の組み合わせが本発明に含まれる。したがって、本明細書および図面は、本発明の精神および範囲から逸脱することなく、制限的な方法ではなく例示的な方法で見なされるべきである。本発明は、添付の特許請求の範囲に属する。
【符号の説明】
【００８４】
１０  フットレスト
１２  上面
１４  下面
１６  前側面
１８  左側面
２０  後側面
２２  右側面
２４  突起
２６  溝
２８  プラットフォーム
３０  便器
３２  スクワットトイレ
３４出口
３６  第１の表面
３８  第２の表面
４０  抗スプラッシュ表面
４２  収集タンク
４４  切り欠き
４６  接触面
４８  開口
５０  抜き勾配
５２  フラッシュパイプコネクタ
P  足底屈
D  背屈
【図１Ａ】
2020508409.tif 000003
【図１Ｂ】
2020508409.tif 000004
【図１Ｃ】
2020508409.tif 000005
【図１Ｄ】
2020508409.tif 000006
【図１Ｅ】
2020508409.tif 000007
【図２Ａ】
2020508409.tif 000008
【図２Ｂ】
2020508409.tif 000009
【図２Ｃ】
2020508409.tif 000010
【図２Ｄ】
2020508409.tif 000011
【図２Ｅ】
2020508409.tif 000012
【図３Ａ】
2020508409.tif 000013
【図３Ｂ】
2020508409.tif 000014
【図３Ｃ】
2020508409.tif 000015
【図３Ｄ】
2020508409.tif 000016
【図３Ｅ】
2020508409.tif 000017
【図３Ｆ】
2020508409.tif 000018
【図３Ｇ】
2020508409.tif 000019
【図３Ｈ】
2020508409.tif 000020
【図３Ｉ】
2020508409.tif 000021
【図３Ｊ】
2020508409.tif 000022
【図３Ｋ】
2020508409.tif 000023
【図３Ｌ】
2020508409.tif 000024
【図３Ｍ】
2020508409.tif 000025
【図３Ｎ】
2020508409.tif 000026
【図４】
2020508409.tif 000027
【図５Ａ】
2020508409.tif 000028
【図５Ｂ】
2020508409.tif 000029
【図６Ａ】
2020508409.tif 000030
【図６Ｂ】
2020508409.tif 000031
【図６Ｃ】
2020508409.tif 000032
【図７】
2020508409.tif 000033
【国際調査報告】
2020508409.tif 000034